(57)【要約】【課題】包装紙や包装袋口の結束を熟練技術を要することなく早く美しく体裁良くワンタッチで行えるようにした装飾結束帯と、この結束帯を備えた包装袋を提供すること。【解決手段】蝶型横リボン１と、該蝶型横リボン１に交差して配置された結束用縦リボン２と、２つの穴３ａ，３ｂを備え両リボン部１、２の交差部の裏面側に配置され蝶型横リボン１を固定保持する留め部材３とからなり、結束用縦リボン２は、帯状のリボンが長手方向に２つ折りされてその両端が留め部材３の穴３ａ、３ｂに表側から裏側に向けて挿通されて折り返し端２ａ側が結束ループ部２ｂとされ、反対端２ｃ側が引き紐兼下げ飾り部２ｄとされ、途中部分２ｅが蝶型横リボン１の中央部１ａの結び目１ｃを形成する部分とされ、引き紐兼下げ飾り部２ｄが留め部材３の穴３ｂから引き出される操作によって、結束ループ部２ｂが留め部材３の穴３ａに絞り込まれて結束状態を保持する。【選択図】図１
0003124692.tif 000002
【実用新案登録請求の範囲】
【請求項１】
蝶型横リボン（１）と、該蝶型横リボン（１）に交差して縦向きに配置された結束用縦リボン（２）と、少なくとも２つの穴（３ａ）（３ｂ）を備え両リボン（１）（２）の交差部の裏面側に配置され前記蝶型横リボン（１）を固定保持する留め部材（３）とからなり、
前記結束用縦リボン（２）は、帯状のリボンが長手方向に２つ折りされてなる折り返し端（２ａ）側を前記留め部材（３）の一方の穴（３ａ）に表側から裏側に向けて挿通されて結束ループ部（２ｂ）が形成され、折り返し端（２ａ）の反対端（２ｃ）側を前記留め部材（３）の他方の穴（３ｂ）に表側から裏側に向けて挿通されて引き紐兼下げ飾り部（２ｄ）とされ、途中部分（２ｅ）が前記蝶型横リボン（１）の左右方向の中央部（１ａ）の上を跨いで配置されて該中央部（１ａ）の結び目（１ｃ）を形成する部分とされ、前記引き紐兼下げ飾り部（２ｄ）が前記留め部材（３）の他方の穴（３ｂ）から引き出される操作によって、前記結束ループ部（２ｂ）が前記留め部材（３）の一方の穴（３ａ）に絞り込まれて結束状態を保持するようになされていることを特徴とする装飾結束帯。
【請求項２】
前記蝶型横リボン（１）は、帯状のリボンの長手方向両端が重ね合わされて左右両側に対称形状の折り返しループ部（１ｄ）（１ｅ）が形成され、この重ね合わせ部を蝶型横リボン（１）の左右方向の中央部（１ａ）として、この中央部（１ａ）が固定部材（４）によって前記留め部材（３）に固定保持されており、この固定部材（４）によって前記蝶型横リボン（１）の左右方向の中央部（１ａ）のくびれ部（１ｂ）が形成保持されていることを特徴とする請求項１に記載の装飾結束帯。
【請求項３】
前記留め部材（３）の穴（３ａ）（３ｂ）は、前記蝶型横リボン（１）の左右方向の中央部（１ａ）のくびれ部（１ｂ）の上下方向両側に分けて形成されていることを特徴とする請求項１又は２に記載の装飾結束帯。
【請求項４】
前記請求項１〜３の何れかに記載の装飾結束帯が袋本体（５）に袋口（５ａ）の結束手段（６）として取り付けられていることを特徴とする装飾結束帯付き包装袋。
【請求項５】
前記袋本体（５）は、袋口（５ａ）の周囲に前記装飾結束帯の結束用縦リボン（２）を挿通保持する挿通穴部（５ｂ）が形成されており、この挿通穴部（５ｂ）に前記結束用縦リボン（２）の結束ループ部（２ｂ）が前記袋口（５ａ）の周囲を取り巻くように挿通されていることを特徴とする請求項４に記載の装飾結束帯付き包装袋。
【請求項６】
前記挿通穴部（５ｂ）は、前記袋本体（５）の少なくとも袋口（５ａ）の周囲が内外二重袋構造として形成されていることを特徴とする請求項５に記載の装飾結束帯付き包装袋。
【考案の詳細な説明】
【技術分野】
【０００１】
本考案は、例えば、各種の商品を包装した包装紙や袋の口部を結束する場合などに使用される装飾結束帯及び該装飾結束帯付きの包装袋に関するものである。
【背景技術】
【０００２】
従来、商品を包装紙で包装して、或いは、商品を包装袋に収納して顧客に手渡す場合、包装紙を縛る結束帯や袋口を縛る結束帯が使用される。
当該商品が贈り物やおみやげ品である場合、上記結束帯には、装飾リボンや装飾テープなどが用いられるが、その結び方は、一般に蝶結びが採用されている。
特に、店頭などで顧客から注文を受けて商品を手渡すまでに、顧客の待ち時間を短縮してサービス向上を図るために、上記結束帯の蝶結びを早く美しく体裁良く仕上げることが必要とされる。しかし、従来の結束帯による蝶結び作業は、時間がかかり、熟練を要し、未熟練者の場合では、早く美しく体裁良く仕上げることが難しいのが実情である。
【０００３】
そこで、従来、上記のような熟練を不要とした包装用リボンが提案されている（例えば、特許文献１参照）。
上記特許文献１の包装用リボンは、中心部に結びを形成しないで折り畳み形成した蝶リボン部の中心部に上から縦帯リボンを当て、該縦帯リボンの上下部分を後ろで合わせて結着して蝶リボン部の中央部表側に結び目を形成させ、これによって、蝶結びを不要としながらも蝶結びをした場合と同様な外観体裁を現出させるようにしたものである。そして、上記蝶リボンは、単数でも複数でもよいとし、また、横帯リボンを後側に付加してもよいとし、さらに、上記蝶リボン部の中央部の結着には、ワイヤー、ビーズ付ワイヤー、金属線入り帯状フィルム、生地シール付帯フィルム、ハート型や花等の装飾部品付ワイヤー、バンド式留め具等の各種留め具を使用してもよいとしている。
【特許文献１】特開２０００−４５１５９号公報
【考案の開示】
【考案が解決しようとする課題】
【０００４】
しかしながら、上記特許文献１の包装用リボンは、縦帯リボンで包装紙を結束したり、包装袋口を結束するものではない。即ち、もし仮に、縦帯リボンで包装紙や包装袋口を結束すると、蝶リボンが横向きになり正しく取り付けられない。従って、上記特許文献１の包装用リボンは、単に装飾リボンとしての機能を有するだけであり、包装紙や包装袋口の結束は別の手段、例えば、結束紐などで行う必要がある。その上、包装紙や袋への包装用リボンの固着を別途行う必要がある。さらに、結束紐などによる結束作業を従来通り行う必要があり、商品販売者の包装作業時間の短縮や手数の削減、熟練技術の不要化などを図る上で未だ十分とは言えないという問題点があった。
【０００５】
本考案は、従来の上記問題点に鑑みて開発されたものであって、その目的とするところは、包装紙や包装袋口の結束を熟練技術を要することなく早く美しく体裁良くワンタッチで行えるようにした装飾結束帯を提供することにある。
【課題を解決するための手段】
【０００６】
前記目的を達成するために本考案の装飾結束帯は、蝶型横リボンと、該蝶型横リボンに交差して縦向きに配置された結束用縦リボンと、少なくとも２つの穴（３ａ）（３ｂ）を備え両リボン部の交差部の裏面側に配置され前記蝶型横リボンを固定保持する留め部材とからなり、
前記結束用縦リボンは、帯状のリボンが長手方向に２つ折りされてなる折り返し端側を前記留め部材の一方の穴に表側から裏側に向けて挿通されて結束ループ部が形成され、折り返し端の反対端側を前記留め部材の他方の穴に表側から裏側に向けて挿通されて引き紐兼下げ飾り部とされ、途中部分が前記蝶型横リボンの左右方向の中央部の上を跨いで配置されて該中央部の結び目を形成する部分とされ、前記引き紐兼下げ飾り部が前記留め部材の他方の穴から引き出される操作によって、前記結束ループ部が前記留め部材の一方の穴に絞り込まれて結束状態を保持するようになされていることを特徴としている。
【０００７】
上記構成によれば、商品の包装時、結束用縦リボンの結束ループ部を留め部材の一方の穴から引き出して必要なループ径に広げて包装紙に外側から嵌め込み、この状態で引き紐兼下げ飾り部を留め部材の他方の穴から引っ張って結束ループ部を留め部材の一方の穴に絞り込むことによって該結束ループ部のループ径が小さくなり、包装紙を結束することができる。この結束状態は、結束用縦リボンが留め部材の２つの穴に対する抵抗によって緩み止め保持される。また、蝶型横リボンは、留め部材に固定保持されており、結束用縦リボンの上記操作に干渉せず、型崩れや変形が防止され、留め部材を中心として左右対称形状の蝶型リボン形状を保持させることができ、良好な装飾性を維持させることができる。さらに、引き紐兼下げ飾り部は、包装紙の結束後、留め部材の位置から下方に下げ飾りリボンとして垂れ下げることができ、前記蝶型横リボンの蝶結びと相俟って美しく体裁の良い商品包装を手数と時間を要することなくワンタッチで実現することができる。
【０００８】
また、前記蝶型横リボンは、帯状のリボンの長手方向両端が重ね合わされて左右両側に対称形状の折り返しループ部が形成され、この重ね合わせ部を蝶型横リボンの左右方向の中央部として、この中央部が固定部材によって前記留め部材に固定保持されており、この固定部材によって前記蝶型横リボンの左右方向の中央部のくびれ部が形成保持されていることを特徴としている。
上記構成によれば、蝶型横リボンを製作する際、リボン素材の長手方向両端を重ね合わせ、この重ね合わせ部を中央部として固定部材により留め部材に固定保持させているため、左右両側の折り返しループ部が蝶型の形状に固定保持され、しかも、固定部材によって中央部のくびれ部も形成保持されるため、蝶結びを行わないにも拘わらず、美しく体裁の良い蝶型横リボンを簡単容易に作成することができ、熟練技術を不要化できる。
【０００９】
また、前記留め部材の穴は、前記蝶型横リボンの左右方向の中央部のくびれ部の上下方向両側に分けて形成されていることを特徴としている。
上記構成によれば、留め部材の穴を１つの共通穴とした場合では、留め部材に対して結束用縦リボンが回転や捻れが生じて上記結束ループ部と引き紐兼下げ飾り部との位置が逆転したり移動する不具合があるが、結束用縦リボンの折り返し端側の結束ループ部と、反対端側の引き紐兼下げ飾り部とを蝶型横リボンの上下に分けて正しい位置に配置保持させることができ、その結果、結束用縦リボンの途中部分によって蝶型横リボンの中央部に蝶結びの結び目を美しく体裁良く形成することができる。
【００１０】
また、本考案の装飾結束帯付き包装袋は、前記の何れかに記載の装飾結束帯が袋本体に袋口の結束手段として取り付けられていることを特徴としている。
上記構成によれば、留め部材の存在によって、結束ループ部の緩み止めが達成され、かつ、蝶型横リボンと結束用縦リボンの途中部分による結び目及び引き紐兼下げ飾り部とによって蝶結びが体裁良く形成されるため、包装袋口の結束を熟練技術を要することなく早く美しく体裁良くワンタッチで行うことができる。
また、前記袋本体は、袋口の周囲に前記装飾結束帯の結束用縦リボンを挿通保持する挿通穴部が形成されており、この挿通穴部に前記結束用縦リボンの結束ループ部が前記袋口の周囲を取り巻くように挿通されていることを特徴としている。
【００１１】
上記構成によれば、商品を袋に収納後、結束用縦リボンを引っ張って結束ループ部を縮径させることによって、袋口を閉鎖保持させることができ、各種商品の包装袋の袋口の結束操作をワンタッチで行うことができる。
また、前記挿通穴部は、前記袋本体の少なくとも袋口の周囲が内外二重袋構造として形成されていることを特徴としている。
上記構成によれば、挿通穴部の形成が容易となる。
【考案の効果】
【００１２】
本考案によれば、包装紙や包装袋口の結束を熟練技術を要することなく早く美しく体裁良くワンタッチで行えるようにした装飾結束帯を提供することができる。
【考案を実施するための最良の形態】
【００１３】
以下、本考案に係るの実施の形態を図面の記載に基づいて説明する。
本考案の装飾結束帯Ａは、図１〜図３に示すように、左右対称形状とされ左右方向の中央部１ａにくびれ部１ｂを有する蝶型横リボン１と、該蝶型横リボン１に交差して縦向きに配置された結束用縦リボン２と、２つの円形の穴（３ａ）（３ｂ）を備え両リボン部１，２の交差部の裏面側に配置され前記蝶型横リボン１を固定保持する留め部材３とからなる。
上記結束用縦リボン２は、図２、図３に示すように、帯状のリボンが長手方向に２つ折りされてなる折り返し端２ａ側を前記留め部材３の一方の穴３ａに表側から裏側に向けて挿通されて結束ループ部２ｂが形成され、折り返し端２ａの反対端２ｃ側を前記留め部材３の他方の穴３ｂに表側から裏側に向けて挿通されて引き紐兼下げ飾り部２ｄとされ、途中部分２ｅが前記蝶型横リボン１の左右方向の中央部１ａの結び目１ｃを形成する部分とされ、前記引き紐兼下げ飾り部２ｄが前記留め部材３の他方の穴３ｂから引き出される操作によって、前記結束ループ部２ｂが前記留め部材３の一方の穴３ａに絞り込まれて結束状態を保持するようになされている。
【００１４】
また、前記蝶型横リボン１は、図３に示すように、帯状のリボンの長手方向両端１ｆ、１ｇが重ね合わされて左右両側に対称形状の折り返しループ部１ｄ，１ｅが形成され、この重ね合わせ部１ｈを蝶型横リボン１の左右方向の中央部１ａとして、この中央部１ａが固定部材４によって図２に示す如く前記留め部材３に固定保持されており、この固定部材４によって前記蝶型横リボン１の左右方向の中央部１ａのくびれ部１ｂが形成保持されている。
また、前記留め部材３の穴３ａ，３ｂは、前記蝶型横リボン１の左右方向の中央部１ａのくびれ部１ｂを挟んでその上下方向両側に分けて形成されている。
【００１５】
上記留め部材３の穴３ａ，３ｂの上下間隔は、蝶型横リボン１のリボン素材幅より狭く設定されており、また、上記留め部材３の穴３ａ，３ｂの穴径は、結束用縦リボン２のリボン素材幅より小さくされている。
前記固定部材４は、本実施形態においては、ワイヤーを使用しており、このワイヤーを蝶型横リボン１の前記重ね合わせ部１ｈに巻き付けてその両端を留め部材３の穴３ａ，３ｂに表側から裏側へ挿通し、裏側でクロスさせて結縛することにより、蝶型横リボン１を留め部材３に固定している。
【００１６】
なお、上記ワイヤーは、蝶型横リボン１の前記重ね合わせ部１ｈに巻き付けて両端をクロスさせてくびれ部１ｂを先に形成させておき、その後、ワイヤーの両端を留め部材３の穴３ａ，３ｂに表側から裏側へ挿通し、裏側でクロスさせて結縛するようにしてもよい。
上記固定部材４としては、ワイヤーに限らず、糸、飾り糸、紐、ワイヤー入り樹脂テープ、その他、適宜の結縛材が使用できる。
前記留め部材３は、円形、楕円形、三角形、四角形、多角形、花形、菱形、星形、ハート形、乗物、人物像、動物像、種々のキャラクター形状、その他、任意の形状を採用することができる。
【００１７】
また、留め部材３の穴３ａ，３ｂ形状も円形に限らず、楕円形や長円形その他の形状を採用することができ、穴の数も上側を２つで下側を１つとしたり、上側を１つで下側を２つとしたり、上下とも２つとしてもよい。
さらに、留め部材３の材質は、紙製、プラスチック製、木製、金属製の何れか、又は、これらの組み合わせとすることができる。
また、蝶型横リボン１と結束用縦リボン２とは、絹、サテン、その他、各種のリボン素材で構成すればよく、その際、両者を同一素材、同一幅、同一色とするのが好ましいが、別の素材や別幅、別色を用いても良い。また、リボン部１，２と留め部材３とを別の色とするほうが好ましいが、これに制約されない。
【００１８】
本考案の装飾結束帯Ａは、上記構成からなり、次にその使用態様の一例を説明する。
例えば、ワインなどのボトル類では、ボトルネック部に、結束用縦リボン２の結束ループ部２ｂを留め部材３の穴３ａ，３ｂから引き出して必要なループ径に広げて外側から直接嵌め込み、或いは、包装紙を介して嵌め込み、この状態で引き紐兼下げ飾り部２ｄを留め部材３の穴３ｂから引っ張って結束ループ部２ｂを留め部材３の穴３ａに絞り込むことによって該結束ループ部２ｂのループ径が小さくなり、ボトルネック部をワンタッチで結束することができる。
【００１９】
この結束状態は、結束用縦リボン２が留め部材３の穴３ａ，３ｂに対する抵抗によって緩み止め保持される。
また、蝶型横リボン１は、留め部材３に固定部材４を介して固定保持されており、結束用縦リボン２の上記操作に干渉せず、型崩れや変形が防止され、留め部材３を中心として左右対称形状の蝶型リボン形状を保持させることができ、良好な装飾性を維持させることができる。
さらに、引き紐兼下げ飾り部２ｄは、ボトルネック部の結束後、留め部材３の位置から下方に下げ飾りリボンとして垂れ下げることができ、前記蝶型横リボン１の蝶結びと相俟って美しく体裁の良い商品包装を手数と時間を要することなくワンタッチで実現することができる。
【００２０】
また、本考案の装飾結束帯Ａは、蝶型横リボン１を製作する際、リボン素材の長手方向両端１ｆ、１ｇを重ね合わせ、この重ね合わせ部１ｈを中央部１ａとして固定部材４により留め部材３に固定保持させているため、左右両側の折り返しループ部１ｄ，１ｅが蝶型の形状に固定保持され、しかも、固定部材４によって中央部１ａのくびれ部１ｂも形成保持されるため、蝶結びを行わないにも拘わらず、美しく体裁の良い蝶型横リボン１を簡単容易に作成することができ、熟練技術を不要化できる。
さらに、本考案の装飾結束帯Ａは、結束用縦リボン２の途中部分２ｅによって蝶型横リボン１の中央部１ａに蝶結びの結び目１ｃを美しく体裁良く形成することができる。
【００２１】
本考案の装飾結束帯Ａは、上記したボトル類のネック部に適用することに限られるものではなく、花束や袋、箱などにも適用することができる。
次に、本考案の装飾結束帯付き包装袋Ｂの実施形態を説明する。
本考案の装飾結束帯付き包装袋Ｂは、図４〜図６に示すように、前記装飾結束帯Ａを袋本体５に袋口５ａの結束手段６として取り付けたものである。
そのための具体的な構成として、上記袋本体５は、袋口５ａの周囲に前記装飾結束帯Ａの結束用縦リボン２を挿通保持する挿通穴部５ｂが形成されており、この挿通穴部５ｂに前記結束用縦リボン２の結束ループ部２ｂが前記袋口５ａの周囲を取り巻くように挿通されている。
【００２２】
上記挿通穴部５ｂは、袋本体５の少なくとも袋口５ａの周囲を内外二重袋構造として形成（縫製）されており、本実施形態においては、袋本体５を外袋５ｃと内袋５ｄとで構成し、袋口５ａを除く左右両側辺及び底辺を縫い糸５ｅで縫製して内外二重袋構造とし、その際、袋口５ａの周囲を縫い糸５ｆ、５ｇで紐通しを可能とする間隔を置いて二重に袋縫いして挿通穴部５ｂを形成させている。そして、外袋５ｃの一部適当箇所、例えば、正面中央部に挿通穴部５ｂに通じる挿通口５ｈを設け、ここから結束用縦リボン２を挿通している。この場合、結束用縦リボン２は、一旦、留め部材３の穴３ａ，３ｂから抜き出して上記挿通穴部５ｂに挿通した後、再び、留め部材３の穴３ａ，３ｂに挿通するものである。
【００２３】
上記二重袋構造とするのは、挿通穴部５ｂの形成位置だけでよいのであって、袋本体５全体を二重袋構造とする必要はなく、また、袋口５ａの周囲に適宜の間隔で紐挿通部となる耳片を取り付けておいてもよい。
なお、袋本体５を外袋５ｃと内袋５ｄとの内外二重袋構造とする場合には、外袋５ｃと内袋５ｄの材質を別とし、例えば、外袋５ｃは丈夫な生地とし、内袋５はソフトで柔軟な生地としたり、内袋５は耐油性シートとし、外袋５は非耐油性シートとしたり、その他、各種商品の用途に適合する包装形態を実現し得る組み合わせとすることができる。また、袋本体５の材質は、紙製、布製、樹脂シート製、樹脂フイルム製、これらを積層した複合シート製、或いは、内面に樹脂をライニングまたはコーティングしたものや、金箔、銀箔、アルミ箔などの金属箔を貼り合わせたものなど制約されない。
【００２４】
本考案の包装袋Ｂは、以上の実施形態からなり、次のその使用形態の一例を説明する。
本考案の包装袋Ｂによれば、留め部材３の存在によって、結束ループ部２ｂの緩み止めが達成され、かつ、蝶型横リボン１と結束用縦リボン２の途中部分２ｅによる結び目１ｃ及び引き紐兼下げ飾り部２ｄとによって蝶結びが体裁良く形成されるため、包装袋口５ａの結束を熟練技術を要することなく早く美しく体裁良くワンタッチで行うことができる。
また、商品を袋本体５内に収納後、結束用縦リボン２を引っ張って結束ループ部２ｂを縮径させることによって、袋口５ａを閉鎖保持させることができ、各種商品の包装袋Ｂの袋口５ａの結束操作をワンタッチで行うことができる。
【００２５】
本考案は、以上の実施形態からなるが、本考案は、これらの実施形態にのみ制約されるものではなく、実用新案登録請求の範囲に記載した事項の範囲内で自由に変更して実施することができる。例えば、袋本体５と留め部材３とを同系色とし、リボン部１，２だけ別の色とするのが好ましいが、これも制約されず、用途や目的に応じて自由に選定してもよい。また、蝶型横リボン１は、図示した実施形態に限らず、他の形状の飾りリボンを置換適用してもよい。また、蝶型横リボン１は、留め部材３に固定部材４で留める代わりに接着剤で接着してもよい。
【図面の簡単な説明】
【００２６】
【図１】本考案の装飾結束帯の実施形態を示す正面図である。
【図２】図１の中央縦断側面図である。
【図３】図１の分解説明図である。
【図４】本考案の包装袋の実施形態を示す正面図である。
【図５】図４の結束手段の取付位置における横断平面図である。
【図６】図４の中央から外れた位置における縦断側面図である。
【符号の説明】
【００２７】
１    蝶型横リボン
２    結束用縦リボン
３    留め部材
４    固定部材
５    袋本体
６    結束手段
Ａ    装飾結束帯
Ｂ    装飾結束帯付き包装袋
【図１】
0003124692.tif 000003
【図２】
0003124692.tif 000004
【図３】
0003124692.tif 000005
【図４】
0003124692.tif 000006
【図５】
0003124692.tif 000007
【図６】
0003124692.tif 000008